(57)【要約】【課題】より低コストかつ高い信頼性で料金所の料金機械を監視可能となる監視システムを提供する。【解決手段】監視サーバ１０は、有料道路の入口料金所Ｒ１に設置される通行券発行装置２０の状態を示す状態データを収集して記録する状態記録部と、監視端末３０から所定の状態取得要求を受け付けた場合に、記録された前記状態データのうち前記状態取得要求で指定された状態データを取得する状態取得部と、監視端末３０に向けて、取得した前記状態データを送信する送信部と、を備える。【選択図】図１
2020135638.tif 000002
【特許請求の範囲】
【請求項１】
有料道路の料金所に設置される料金機械の状態を示す状態データを前記料金機械から収集して記録する状態記録部と、
監視端末から所定の状態取得要求を受け付けた場合に、記録された前記状態データのうち前記状態取得要求で指定された状態データを前記料金機械から取得する状態取得部と、
前記監視端末に向けて、取得した前記状態データを送信する送信部と、
を備える監視サーバ。
【請求項２】
前記送信部は、
前記監視端末から所定の操作要求を受け付けた場合に、前記操作要求で指定された前記料金機械に向けて、前記操作要求で指定された処理指示を送信する
請求項１に記載の監視サーバ。
【請求項３】
前記監視端末からの前記操作要求について、処理の混信を防止するための調停処理を行う調停処理部を更に備える
請求項２に記載の監視サーバ。
【請求項４】
有料道路の料金所に設置され、
当該料金機械の状態を特定する状態特定部と、
特定された前記状態を示す状態データを監視サーバに送信する送信部と、
を備える料金機械。
【請求項５】
前記料金機械は、通行券発行装置であって、
前記状態特定部は、
不正通行券が発生した場合に、前記料金機械の状態として、前記不正通行券を同定するための情報を特定する
請求項４に記載の料金機械。
【請求項６】
前記状態特定部は、
通行券を抜き取られた後、車両の後進が検知された場合に、前記不正通行券が発生したと判定する
請求項５に記載の料金機械。
【請求項７】
前記料金機械は、料金自動収受機であって、
通行券が挿入された場合に、前記監視サーバにアクセスして、前記挿入された通行券が不正通行券として前記監視サーバに登録されているか否かを判定する不正通行券判定部を備える
請求項４に記載の料金機械。
【請求項８】
請求項１から請求項３のいずれか一項に記載の監視サーバと、
請求項４から請求項７のいずれか一項に記載の料金機械と、
前記監視端末と、
を備える監視システム。
【請求項９】
有料道路の料金所に設置される料金機械の状態を示す状態データを収集して記録するステップと、
監視端末から所定の状態取得要求を受け付けた場合に、記録された前記状態データのうち前記状態取得要求で指定された状態データを取得するステップと、
前記監視端末に向けて、取得した前記状態データを送信するステップと、
を有する監視方法。
【請求項１０】
監視サーバのコンピュータに、
有料道路の料金所に設置される料金機械の状態を示す状態データを収集して記録するステップと、
監視端末から所定の状態取得要求を受け付けた場合に、記録された前記状態データのうち前記状態取得要求で指定された状態データを取得するステップと、
前記監視端末に向けて、取得した前記状態データを送信するステップと、
を実行させるプログラム。
【発明の詳細な説明】
【技術分野】
【０００１】
本発明は、監視サーバ、料金機械、監視システム、監視方法及びプログラムに関する。
【背景技術】
【０００２】
有料道路の料金所の車線には、通行券発行装置や料金自動収受機などの料金機械が設置されている場合がある。このような車線は無人ではあるが、料金所事務所等に設置された監視盤から遠隔で、監視員による常時監視が行われている（例えば、特許文献１参照）。
【０００３】
料金所事務所等に設置された監視盤は、監視員の操作に応じて、各料金機械の現在の状態（券切れ、故障など）を個別に取得（監視）することができる。また、監視盤は、監視員の操作に応じて、料金機械に対して操作要求を送信し、所定の処理（特別発券等）を指示することができる。
【先行技術文献】
【特許文献】
【０００４】
【特許文献１】特開平１１−０９６４１９号公報
【発明の概要】
【発明が解決しようとする課題】
【０００５】
しかしながら、各料金機械は、監視盤との間で上記のような通信のやり取りを行うために、特別な通信機能を個別に備える必要がある。そうすると、監視システム全体として冗長な構成となり、また、複雑な通信処理を要することとなるため、監視システムのコスト増や信頼性低下を招いている。
【０００６】
本発明は、より低コストかつ高い信頼性で料金所の料金機械を監視可能となる監視サーバ、料金機械、監視システム、監視方法及びプログラムを提供することを目的とする。
【課題を解決するための手段】
【０００７】
本発明の第１の態様によれば、監視サーバ（１０）は、有料道路の料金所（Ｒ１、Ｒ２）に設置される料金機械（２０、４０）の状態を示す状態データ（Ｄ１）を前記料金機械から収集して記録する状態記録部（１００２）と、監視端末（３０）から所定の状態取得要求を受け付けた場合に、記録された前記状態データのうち前記状態取得要求で指定された状態データを前記状態記録部から取得する状態取得部（１００３）と、前記監視端末に向けて、取得した前記状態データを送信する送信部（１０００）と、を備える。
このようにすることで、監視サーバが、各料金機械の状態を示す状態データを逐次集約して記録、更新していくので、監視端末は、監視サーバにアクセスするだけで、所望する料金機械の状態を取得することができる。したがって、複数の料金機械が個々に、監視端末からの状態取得要求に応答して返送する機能を有さなくともよくなり、料金機械の機能の簡素化を図ることができる。
【０００８】
また、本発明の第２の態様によれば、前記監視サーバが前記監視端末から所定の操作要求を受け付けた場合に、上述の監視サーバが具備する前記送信部は、前記操作要求で指定された前記料金機械に向けて、前記操作要求で指定された処理指示を送信する。
このようにすることで、料金機械は、監視サーバからの処理指示に従って指定された処理を実行するだけでよくなり、種々の態様からなる監視端末からの操作要求に対し、個別に応答する機能を具備しなくともよくなる。したがって、料金機械の機能を一層簡素化することができる。
【０００９】
また、本発明の第３の態様によれば、上述の監視サーバは、前記監視端末からの前記操作要求について、処理の混信を防止するための調停処理を行う調停処理部（１００４）を更に備える。
このようにすることで、各料金機械は、個別に、複雑な調停処理を実装しなくともよくなる。したがって、各料金機械の機能を一層簡素化することができる。
【００１０】
また、本発明の第４の態様によれば、料金機械（２０、４０）は、有料道路の料金所に設置され、当該料金機械の状態を特定する状態特定部（２００３）と、特定された前記状態を示す状態データを監視サーバに送信する送信部（２０００）と、を備える。
このようにすることで、監視サーバが、各料金機械の状態を示す状態データを逐次集約して記録、更新することができる。
【００１１】
また、本発明の第５の態様によれば、前記料金機械は、通行券発行装置（２０）であって、前記状態特定部は、不正通行券が発生した場合に、前記料金機械の状態として、前記不正通行券を同定するための情報を特定する。
このようにすることで、ある通行券発行装置で不正通行券が発生した場合に、当該不正通行券を同定するための情報を通行券発行装置の状態の一つとして監視サーバに登録することができる。
【００１２】
また、本発明の第６の態様によれば、前記状態特定部は、通行券を抜き取られた後、車両の後進が検知された場合に、前記不正通行券が発生したと判定する。
このようにすることで、通行券発行装置は、より簡便かつ正確に、不正通行券の発生を検知することができる。
【００１３】
また、本発明の第７の態様によれば、前記料金機械は、料金自動収受機（４０）であって、通行券が挿入された場合に、前記監視サーバにアクセスして、前記挿入された通行券が不正通行券として前記監視サーバに登録されているか否かを判定する不正通行券判定部（４００３）を備える。
このようにすることで、出口料金所に設置された料金自動収受機において監視サーバを介した簡易な構成で他の料金収受機と連動し、不正通行券を常時監視して、その利用を抑制することができる。
【００１４】
また、本発明の第８の態様によれば、監視システム（１）は、上述の監視サーバと、上述の料金機械と、前記監視端末と、を備える。
【００１５】
また、本発明の第９の態様によれば、監視方法は、有料道路の料金所に設置される料金機械の状態を示す状態データを収集して記録するステップと、監視端末から所定の状態取得要求を受け付けた場合に、記録された前記状態データのうち前記状態取得要求で指定された状態データを取得するステップと、前記監視端末に向けて、取得した前記状態データを送信するステップと、を有する。
【００１６】
また、本発明の第１０の態様によれば、プログラムは、監視サーバのコンピュータに、有料道路の料金所に設置される料金機械の状態を示す状態データを収集して記録するステップと、監視端末から所定の状態取得要求を受け付けた場合に、記録された前記状態データのうち前記状態取得要求で指定された状態データを取得するステップと、前記監視端末に向けて、取得した前記状態データを送信するステップと、を実行させる。
【発明の効果】
【００１７】
上述の各態様に係る監視サーバ、料金機械、監視システム、監視方法及びプログラムによれば、より低コストかつ高い信頼性で料金所の料金機械を監視可能となる。
【図面の簡単な説明】
【００１８】
【図１】第１の実施形態に係る監視システムの全体構成を示す図である。
【図２】第１の実施形態に係る監視サーバの機能構成を示す図である。
【図３】第１の実施形態に係る通行券発行装置の機能構成を示す図である。
【図４】第１の実施形態に係る監視端末の機能構成を示す図である。
【図５】第１の実施形態に係る状態データの内容の例を示す図である。
【図６】第１の実施形態に係る監視システムの第１の処理フローを示す図である。
【図７】第１の実施形態に係る監視システムの第２の処理フローを示す図である。
【図８】第１の実施形態に係る監視システムの第２の処理フローを示す図である。
【図９】第２の実施形態に係る監視システムの全体構成を示す図である。
【図１０】第２の実施形態に係る料金自動収受機の機能構成を示す図である。
【図１１】第２の実施形態に係る監視システムの処理フローを示す図である。
【発明を実施するための形態】
【００１９】
＜第１の実施形態＞
以下、第１の実施形態に係る監視システムについて、図１〜図８を参照しながら詳しく説明する。
【００２０】
（監視システムの全体構成）
図１は、第１の実施形態に係る監視システムの全体構成を示す図である。
図１に示す監視システム１は、有料道路の入口料金所Ｒ１、及び、他の料金所等に設置されている複数の通行券発行装置２０を常時監視するためのシステムである。車線Ｌに進入した車両Ａの搭乗者は、通行券発行装置２０の発券口から発行された通行券を取得する。この通行券には、入口料金所Ｒ１を示す料金所識別情報や車両Ａの車種区分等が記録されている。車両Ａの搭乗者は、有料道路の出口料金所でこの通行券が提出し、走行距離や車種区分に応じた料金を支払う。
【００２１】
図１に示すように、監視システム１は、監視サーバ１０と、通行券発行装置２０と、監視端末３０と、を備えている。監視サーバ１０、通行券発行装置２０、及び、監視端末３０は、広域通信網Ｎ（例えば、インターネット回線）を介して、互いに双方向に通信可能とされている。
【００２２】
監視サーバ１０は、入口料金所Ｒ１に設置された複数の通行券発行装置２０から、各々の状態を示す状態データを収集する。図１において図示を省略しているが、入口料金所Ｒ１には、複数の車線Ｌの各々に通行券発行装置２０が設置されているものとする。
【００２３】
通行券発行装置２０は、有料道路の料金所に設置される料金機械の一態様であって、車線Ｌに進入した車両Ａの搭乗者に対し通行券を発行する。図１に示すように、通行券発行装置２０は、車線Ｌの路側（アイランド）に設置される。通行券発行装置２０が発行する通行券には、入口料金所Ｒ１を示す料金所識別情報や車両Ａの車種区分等が記録されている。車両Ａの搭乗者は、有料道路の出口料金所でこの通行券が提出し、走行距離や車種区分に応じた料金を支払う。
また、本実施形態に係る通行券発行装置２０は、自装置の状態（故障、券切れ等）を定期的に取得して、当該状態を示す状態データを監視サーバ１０に送信する機能を有する。
【００２４】
監視端末３０は、監視サーバ１０に収集された通行券発行装置２０の状態データのうち指定された状態データを取得して監視員等に提示する。本実施形態に係る監視端末３０の一つは、料金所事務所Ｊに設置され、当該料金所事務所Ｊ内に駐在する監視員Ｍによって操作される監視盤３０ａである。また、本実施形態に係る監視端末３０の一つは、車線Ｌの路側で作業を行う監視員Ｍが所持するタブレット端末３０ｂである。なお、監視端末３０の具体的態様は以上のものに限定されない。例えば、他の実施形態に係る監視端末３０は、通行券発行装置２０の筐体に組み込まれた操作パネルであってもよい。
【００２５】
図１に示すように、通行券発行装置２０の上流側（車両Ａの進行方向手前側）には、車種判別装置２１が設置されている。車種判別装置２１は、車線Ｌに進入した車両Ａの車種区分を判別し、判別結果を通行券発行装置２０に送信する。通行券発行装置２０は、車種判別装置２１から受け付けた車種判別結果（車両Ａの車種区分）を通行券に記録して発行する。ここで、車種区分とは、利用者から収受すべき料金に対応して規定されるものであって、例えば、「軽／二輪」、「普通車」、「中型車」、「大型車」、「特大車」等に区分される。
【００２６】
車種判別装置２１は、車線Ｌに進入した車両Ａの車両情報を取得し、この車両情報に基づいて車両Ａの車種区分を判別する。本実施形態において、「車両情報」とは、具体的には、車両Ａの車軸数、ナンバープレートに関する情報（分類番号、プレートの色、大きさ）などである。
【００２７】
車種判別装置２１は、演算装置２１０と、車両検知器２１１と、踏板２１２と、ナンバープレート読取機２１３とを備えている。
【００２８】
演算装置２１０は、車両検知器２１１、踏板２１２、及び、ナンバープレート読取機２１３から受け付ける各種信号に基づいて車両情報を特定する。演算装置２１０は、特定された車両情報の組み合わせに応じて、車両Ａの車種区分を一意に判別する。なお、本実施形態に係る演算装置２１０は、車両検知器２１１の筐体内部に組み込まれているものとして図示しているがこの態様に限定されない。例えば、他の実施形態に係る演算装置２１０は、独立した筐体で路側に設置されている態様であってもよい。
また、他の実施形態に係る演算装置２１０は、車両情報として、更に、車両Ａの車長、車高、オーバーハング長などを特定するものであってもよい。この場合、車種判別装置２１は、これらの車両情報を特定するためのセンサ機器を更に具備する態様であってもよい。
【００２９】
車両検知器２１１は、車線Ｌの最も上流側に設けられ、車線Ｌの設置位置における車両の存在を検知可能とする。本実施形態に係る車両検知器２１１は、車線Ｌを幅方向に挟んで対向するように設置される投光塔及び受光塔を有してなる透過型の車両検知器である。
【００３０】
踏板２１２は、車線Ｌ上における車両検知器２１１と同じ位置に設置され、タイヤによる押圧を検知可能とする。上述の演算装置２１０は、車両検知器２１１が車両Ａの存在を検知している間に踏板２１２が踏みつけられた回数を計数し、これを車両Ａの車軸数として取得する。また、踏板２１２の内部には、車線方向に複数の押圧センサが配列されている。演算装置２１０は、上記複数の押圧センサが踏みつけられた順番を読み取ることで、踏板２１２の上を通過している車両が前進しているか、後進しているかを判別することができる。
【００３１】
ナンバープレート読取機２１３は、車両検知器２１１から車両Ａの存在を示す検知信号を受け付けたタイミングで車両Ａを撮影し、当該車両Ａのナンバープレートを含む画像を取得する。更に、ナンバープレート読取機２１３は、取得した画像から車両ＡのＮＰ情報を抽出し、演算装置２１０に送信する。
【００３２】
（監視サーバの機能構成）
図２は、第１の実施形態に係る監視サーバの機能構成を示す図である。
図２に示すように、監視サーバ１０は、ＣＰＵ１００と、メモリ１０１と、通信インタフェース１０２と、ストレージ１０３と、を備えている。
【００３３】
ＣＰＵ１００は、監視サーバ１０の動作全体を司るプロセッサであって、所定のプログラムに従って動作することで後述する種々の機能を発揮する。
【００３４】
メモリ１０１は、いわゆる主記憶装置であって、ＣＰＵ１００がプログラムに従って動作するための記憶領域となる。
【００３５】
通信インタフェース１０２は、広域通信網Ｎへの有線接続又は無線接続を介して、通行券発行装置２０及び監視端末３０との双方向通信を確立する通信モジュールである。
【００３６】
ストレージ１０３は、いわゆる補助記憶装置であって、ＨＤＤ（Hard Disk Drive）、ＳＳＤ（Solid State Drive）などである。ストレージ１０３には、複数の通行券発行装置２０に関する状態データＤ１が逐次記録、蓄積されていく。
【００３７】
次に、ＣＰＵ１００の具体的な機能について説明する。
ＣＰＵ１００は、所定のプログラムに従って動作することで、送信部１０００、受信部１００１、状態記録部１００２、状態取得部１００３、及び、調停処理部１００４としての機能を発揮する。
【００３８】
送信部１０００及び受信部１００１は、通行券発行装置２０及び監視端末３０との間で種々の情報の送受信処理を行う。通行券発行装置２０及び監視端末３０との間で送受信される情報の具体的な内容については後述する。
【００３９】
状態記録部１００２は、入口料金所Ｒ１に設置された複数の通行券発行装置２０の状態を示す状態データＤ１を各通行券発行装置２０から収集してストレージ１０３に記録、蓄積する。
【００４０】
状態取得部１００３は、監視端末３０から所定の状態取得要求（後述）を受け付けた場合に、ストレージ１０３に記録、蓄積された状態データＤ１のうち、当該状態取得要求で指定された状態データを取得する。
【００４１】
調停処理部１００４は、複数の監視端末３０から一つの通行券発行装置２０に向けて操作要求が送信された場合に、各操作要求についての調停処理を行う。
【００４２】
（通行券発行装置の機能構成）
図３は、第１の実施形態に係る通行券発行装置の機能構成を示す図である。
図３に示すように、通行券発行装置２０は、ＣＰＵ２００と、メモリ２０１と、通信インタフェース２０２と、複数の処理ユニット２０３と、を備えている。
【００４３】
ＣＰＵ２００は、通行券発行装置２０の動作全体を司るプロセッサであって、所定のプログラムに従って動作することで後述する種々の機能を発揮する。
【００４４】
メモリ２０１は、いわゆる主記憶装置であって、ＣＰＵ２００がプログラムに従って動作するための記憶領域となる。
【００４５】
通信インタフェース２０２は、広域通信網Ｎへの有線接続又は無線接続を介して、監視サーバ１０及び監視端末３０との双方向通信を確立する通信モジュールである。
【００４６】
複数の処理ユニット２０３は、通行券発行装置としての機能を実現するための処理ユニットであって、例えば、発券口から通行券を発行する発券ユニットや、監視員等を呼び出すための呼び出しボタン等である。
【００４７】
次に、ＣＰＵ２００の具体的な機能について説明する。
ＣＰＵ２００は、所定のプログラムに従って動作することで、送信部２０００、受信部２００１、処理部２００２、及び、状態特定部２００３としての機能を発揮する。
【００４８】
送信部２０００及び受信部２００１は、監視サーバ１０及び監視端末３０との間で種々の情報の送受信処理を行う。監視サーバ１０及び監視端末３０との間で送受信される情報の具体的な内容については後述する。
【００４９】
処理部２００２は、通行券発行装置としての通常の処理を行う。具体的には、処理部２００２は、車両Ａが車線Ｌに到来した場合に、新たな通行券に必要な情報（料金所識別情報、車両Ａの車種区分等）を記録して、その通行券を発行する発券処理等を行う。
【００５０】
状態特定部２００３は、通行券発行装置２０の種々の状態を特定する。例えば、状態特定部２００３は、処理ユニット２０３の異常（故障、券詰まり等）の有無や、券切れの発生の有無を一定周期で特定する。また、状態特定部２００３は、通行券発行装置２０の状態として、通行券発行装置２０における通行券発行枚数、車両進入台数、不渡し枚数（抜き取られなかった通行券の枚数）等を逐次特定する。
【００５１】
（監視端末の機能構成）
図４は、第１の実施形態に係る監視端末の機能構成を示す図である。
図４に示すように、監視端末３０は、ＣＰＵ３００と、メモリ３０１と、通信インタフェース３０２と、出力デバイス３０３と、入力デバイス３０４と、を備えている。
【００５２】
ＣＰＵ３００は、監視端末３０の動作全体を司るプロセッサであって、所定のプログラムに従って動作することで後述する種々の機能を発揮する。
【００５３】
メモリ３０１は、いわゆる主記憶装置であって、ＣＰＵ３００がプログラムに従って動作するための記憶領域となる。
【００５４】
通信インタフェース３０２は、広域通信網Ｎへの有線接続又は無線接続を介して、監視サーバ１０及び通行券発行装置２０との双方向通信を確立する通信モジュールである。
【００５５】
出力デバイス３０３は、例えば、液晶ディスプレイ等の表示パネルであって、監視員に対して所望する情報（ある通行券発行装置２０の現在の状態等）を表示する。
【００５６】
入力デバイス３０４は、マウス、キーボード、タッチセンサなどであって、監視員の操作を受け付ける。
【００５７】
次に、ＣＰＵ３００の具体的な機能について説明する。
ＣＰＵ３００は、所定のプログラムに従って動作することで、送信部３０００、受信部３００１、処理部３００２としての機能を発揮する。
【００５８】
送信部３０００及び受信部３００１は、監視サーバ１０及び通行券発行装置２０との間で種々の情報の送受信処理を行う。監視サーバ１０及び通行券発行装置２０との間で送受信される情報の具体的な内容については後述する。
【００５９】
処理部３００２は、監視端末としての通常の処理を行う。具体的には、処理部３００２は、監視サーバ１０から、ある通行券発行装置２０についての状態データを受信した場合に、当該状態データに基づいて通行券発行装置２０の状態を示す画像情報を生成し、出力デバイス３０３（液晶ディスプレイ）に表示させる。また、処理部３００２は、入力デバイス３０４を通じて入力された監視員の操作を取得して、当該操作に応じた処理を行う。
【００６０】
（状態データの内容）
図５は、第１の実施形態に係る状態データの内容の例を示す図である。
図５に示す状態データＤ１は、ある一つの通行券発行装置２０についての状態を示す自状態データである。図５に示すように、状態データＤ１は、通行券発行装置２０を識別するための情報（料金所番号及び車線番号）に、種々の項目（項目Ａ、Ｂ、Ｃ・・）についての状態を時系列（日時分）で記録したものである。項目Ａ、Ｂ、Ｃ・・は、例えば、複数の処理ユニット２０３別の故障の有無、券切れの有無（ストックされている通行券の残り枚数）、通行券発行枚数、車両進入台数、・・等である。
【００６１】
（監視システムの第１の処理フロー）
図６は、第１の実施形態に係る監視システムの第１の処理フローを示す図である。
以下、図６を参照しながら、監視サーバ１０が、各通行券発行装置２０についての状態データを記録、蓄積する処理の流れ、及び、監視員が、監視端末３０を用いて、所望する通行券発行装置２０の状態を取得する処理の流れについて説明する。
【００６２】
まず、通行券発行装置２０の状態特定部２００３は、各項目Ａ、Ｂ、Ｃ、・・（図５参照）それぞれについての状態を特定する（ステップＳ００）。
【００６３】
次に、通行券発行装置２０の送信部２０００は、ステップＳ００で特定された状態（項目Ａ、Ｂ、Ｃ、・・）を示す状態データを監視サーバ１０に送信する（ステップＳ０１）。
【００６４】
次に、監視サーバ１０の状態記録部１００２は、複数の通行券発行装置２０の各々から状態データを受信して、各状態データをストレージ１０３に記録、蓄積する（ステップＳ０２）。
通行券発行装置２０及び監視サーバ１０は、以上のステップＳ００〜ステップＳ０２の処理を一定周期で繰り返し実行する。
【００６５】
図６に示す処理フローにおいて、監視端末３０は、常時、監視員から状態取得要求を待ち受けている状態にある。状態取得要求とは、監視端末３０から監視サーバ１０に向けて送信される要求信号（リクエスト信号）であって、通行券発行装置２０及びその状態の指定（例えば、「料金所番号：〇〇、車線番号：△△、項目Ａ、項目Ｂ」）を含む。
【００６６】
監視端末３０の送信部３０００は、監視員から所定の操作を受け付けた場合に、当該操作に応じた、通行券発行装置２０及び状態の指定を含む状態取得要求を送信する（ステップＳ０３）。
【００６７】
監視サーバ１０の受信部１００１が監視端末３０から状態取得要求を受信すると、監視サーバ１０の状態取得部１００３は、ストレージ１０３に記録、蓄積された状態データＤ１（図２）の中から、指定された通行券発行装置２０の現在の状態を示す状態データを取得する（ステップＳ０４）。
【００６８】
監視サーバ１０の送信部１０００は、ステップＳ０４で取得された状態データを含む状態取得要求応答を、監視端末３０に向けて返送する（ステップＳ０５）。
監視端末３０の処理部３００２は、返送された状態データを、出力デバイス３０３（表示パネル等）に表示する。これにより、監視員は、監視端末３０を通じて、所望する通行券発行装置２０の状態を把握することができる。
【００６９】
（監視システムの第２の処理フロー）
図７、図８は、第１の実施形態に係る監視システムの第２の処理フローを示す図である。
以下、図７、図８を参照しながら、監視員が、監視端末３０を用いて、通行券発行装置２０に向けて所望の操作要求を行う処理の流れ、及び、監視サーバ１０による調停処理について説明する。
【００７０】
図７に示す処理フローは、監視員が通行券発行装置２０を用いて特別発行を行う場合の処理の流れを示している。「特別発行」とは、例えば、通常の発券処理ができない場合（例えば、車両Ａの車種区分が車種判別装置２１によって判別できなかった場合等）に、監視員の操作に基づき、到来した車両に適した内容（車種区分等）が記録された通行券を発行する処理である。
【００７１】
図７に示す処理フローにおいて、監視端末３０は、常時、監視員から操作要求を待ち受けている状態にある。操作要求とは、監視端末３０から監視サーバ１０に向けて送信される要求信号（リクエスト信号）であって、通行券発行装置２０及び当該通行券発行装置２０に実行させようとする処理の指定（例えば、「料金所番号：〇〇、車線番号：△△、特別発行」）を含む。
【００７２】
図７に示す例では、監視員は、まず、通行券発行装置２０を「特別発行モード」に移行させるための操作要求を行う。
監視端末３０の送信部３０００は、監視員から所定の操作を受け付けた場合に、当該操作に応じた、通行券発行装置２０及び当該通行券発行装置２０に実行させようとする処理（特別発行モードへの移行）の指定を含む操作要求を送信する（ステップＳ１１）。
【００７３】
監視サーバ１０の受信部１００１が監視端末３０から操作要求を受け付けた場合、監視サーバ１０の送信部１０００は、当該操作要求で指定された通行券発行装置２０に向けて、当該操作要求で指定された処理指示（特別発行モードへの移行）を送信する（ステップＳ１２）。
【００７４】
通行券発行装置２０の受信部２００１が監視サーバ１０から処理指示を受信した場合、通行券発行装置２０の処理部２００２は、受信した処理指示に示される処理を実行する（ステップＳ１３）。具体的には、処理部２００２は、ステップＳ１３において、通常の発券を行う「通常モード」から、監視員の操作に基づく特別発行を受け付け可能とする「特別発行モード」に移行する処理を行う。
【００７５】
次に、通行券発行装置２０の送信部２０００は、ステップＳ２３の処理の完了（特別発行モードへの移行完了）を示す処理指示応答を、監視サーバ１０に向けて返送する（ステップＳ１４）。
【００７６】
監視サーバ１０の受信部１００１が通行券発行装置２０から処理指示応答を受信した場合、監視サーバ１０の送信部１０００は、受信した処理指示応答の内容（特別発行モードへの移行完了）を示す操作要求応答を、監視端末３０に向けて返送する（ステップＳ１５）。
監視端末３０の処理部３００２は、返送された操作要求応答を、出力デバイス３０３（表示パネル等）に表示する。これにより、監視員は、監視端末３０を通じて、ステップＳ１１で指定した通行券発行装置２０において、指定した処理（特別発行モードへの移行）が実行されたことを把握することができる。
【００７７】
次に、監視員は、通行券発行装置２０に特別発行処理を実行させるための操作要求を行う。
監視端末３０の送信部３０００は、監視員から所定の操作を受け付けた場合に、当該操作に応じた、通行券発行装置２０及び当該通行券発行装置２０に実行させようとする処理（特別発行指示）の指定を含む操作要求を送信する（ステップＳ２１）。この操作要求には、例えば、監視員が目視で確認した車両Ａの車種区分等が含まれる。
【００７８】
監視サーバ１０の受信部１００１が監視端末３０から操作要求を受け付けた場合、監視サーバ１０の送信部１０００は、当該操作要求で指定された通行券発行装置２０に向けて、当該操作要求で指定された処理指示（特別発行指示）を送信する（ステップＳ２２）。
【００７９】
通行券発行装置２０の受信部２００１が監視サーバ１０から処理指示を受信した場合、通行券発行装置２０の処理部２００２は、受信した処理指示に示される処理を実行する（ステップＳ２３）。具体的には、処理部２００２は、ステップＳ２３において、受信した処理指示で指定される内容（車種区分など）を記録した新たな通行券を発行する特別発行を行う。
【００８０】
次に、通行券発行装置２０の送信部２０００は、ステップＳ２３の処理の完了（特別発行完了）を示す処理指示応答を、監視サーバ１０に向けて返送する（ステップＳ２４）。
【００８１】
監視サーバ１０の受信部１００１が通行券発行装置２０から処理指示応答を受信した場合、監視サーバ１０の送信部１０００は、受信した処理指示応答の内容（特別発行完了）を示す操作要求応答を、監視端末３０に向けて返送する（ステップＳ２５）。
監視端末３０の処理部３００２は、返送された操作要求応答を、出力デバイス３０３（表示パネル等）に表示する。これにより、監視員は、監視端末３０を通じて、ステップＳ１１で指定した通行券発行装置２０において、指定した処理（特別発行）が実行されたことを把握することができる。
【００８２】
なお、図７に示した処理フローにおいて、監視サーバ１０は、監視端末３０から操作要求を受け付けてから（ステップＳ１１、ステップＳ２１）、当該監視端末３０に操作要求応答を返送するまで（ステップＳ１５、ステップＳ２５）の間、他の監視端末３０からの、同一の通行券発行装置２０に向けての操作要求を受け付けないようにする調停処理（ステップＳ３）を実行する。この調停処理については、図８を参照しながら説明する。
【００８３】
図８に示すように、監視サーバ１０の調停処理部１００４は、監視端末３０から操作要求を受け付ける（ステップＳ３０）。図８に示すステップＳ３０の処理は、図７に示すステップＳ１１及びステップＳ２１の処理に相当する。
【００８４】
この場合、調停処理部１００４は、ステップＳ３０で受け付けた操作要求で指定された通行券発行装置２０が応答待ち状態にあるか否かを判定する（ステップＳ３１）。「応答待ち状態」とは、操作要求で指定された通行券発行装置２０が、他の監視端末３０からの操作要求に対する処理を行っている最中にあるか否かを示すフラグ情報である。
指定の通行券発行装置２０についてのステータスが応答待ち状態にある場合（ステップＳ３１；ＹＥＳ）、ステップＳ３０で受け付けた操作要求を保留状態にして待機する。このとき、監視サーバ１０は、操作要求を送信した監視端末３０に対して、指定の通行券発行装置２０が応答待ち状態にあることを示す情報を返送してもよい。
指定の通行券発行装置２０が応答待ち状態になかった場合（ステップＳ３１；ＮＯ）、調停処理部１００４は、ステップＳ３２の処理に進む。
【００８５】
次に、調停処理部１００４は、指定の通行券発行装置２０が、ステップＳ３０で受け付けた操作要求で指定された処理を実行可能か否か、を判定する（ステップＳ３２）。例えば、発券ユニット（処理ユニット２０３）が故障していた場合、或いは、通行券のストックが切れていた場合、その通行券発行装置２０は、「特別発行」なる処理を実行することができない。そこで、ステップＳ３２において、調停処理部１００４は、ストレージ１０３に蓄積された状態データＤ１の中から、指定の通行券発行装置２０に関する状態データを参照する。そして、参照した状態データに基づいて、ステップＳ３０で受け付けた操作要求で指定された処理（例えば、特別発行）を実行可能な状態にあるか否かを判定する。
【００８６】
指定の通行券発行装置２０が、ステップＳ３０で受け付けた操作要求で指定された処理を実行できない場合（ステップＳ３２；ＮＯ）、監視サーバ１０は、操作要求に応じた処理指示を通行券発行装置２０に送信することなく一連の処理を終了する。このとき、監視サーバ１０は、操作要求を送信した監視端末３０に対して、指定の通行券発行装置２０が、当該操作要求で指定した処理を実行することができない状態（例えば、券切れ状態）にあることを示す情報を返送してもよい。
【００８７】
指定の通行券発行装置２０が、ステップＳ３０で受け付けた操作要求で指定された処理を実行できる場合（ステップＳ３２；ＹＥＳ）、調停処理部１００４は、送信部１０００を通じて、ステップＳ３０の操作要求に応じた処理指示を、指定の通行券発行装置２０に向けて送信させる（ステップＳ３３）。図８に示すステップＳ３３の処理は、図７に示すステップＳ１２及びステップＳ２２の処理に相当する。
【００８８】
調停処理部１００４は、ステップＳ３３で送信した処理指示に対する処理指示応答を受信したか否かを判定する（ステップＳ３４）。
ステップＳ３３で送信した処理指示に対する処理指示応答を受信していない間（ステップＳ３４；ＮＯ）、調停処理部１００４は、指定の通行券発行装置２０を「応答待ち状態」に設定し（ステップＳ３５）、指定の通行券発行装置２０からの処理指示応答を待ち受ける。
指定の通行券発行装置２０が「応答待ち状態」に設定されている間、当該指定の通行券発行装置２０に対する他の監視端末３０からの操作要求は、ステップＳ３１の処理により、全て保留状態にされる。
【００８９】
ステップＳ３３で送信した処理指示に対する処理指示応答を受信した間（ステップＳ３４；ＹＥＳ）、調停処理部１００４は、指定の通行券発行装置２０について設定していた「応答待ち状態」を解除する（ステップＳ３６）。
他の監視端末３０からの操作要求が保留状態にされていた場合は、「応答待ち状態」が加除された時点で直ちに実行される。
【００９０】
次に、調停処理部１００４は、送信部１０００を通じて、操作要求を送信した監視端末３０に向けて操作要求応答を送信させる（ステップＳ３７）。図８に示すステップＳ３７の処理は、図７に示すステップＳ１５及びステップＳ２５の処理に相当する。
【００９１】
以上のように、監視サーバ１０は、複数の監視端末３０から一つの通行券発行装置２０に向けて、同じタイミングで操作要求が送信された場合であっても、通行券発行装置２０において処理の混信を防止する調停機能（調停処理部１００４）を有している。
【００９２】
（作用、効果）
以上の通り、第１の実施形態に係る監視サーバ１０は、有料道路の入口料金所Ｒ１に設置される通行券発行装置２０の状態を示す状態データを収集して記録する状態記録部１００２と、監視端末３０から所定の状態取得要求を受け付けた場合に、記録された状態データＤ１のうち状態取得要求で指定された状態データを取得する状態取得部１００３と、監視端末３０に向けて、取得した状態データを送信する送信部１０００と、を備える。
また、第１の実施形態に係る通行券発行装置２０は、通行券発行装置２０自身の状態を特定する状態特定部２００３と、状態特定部２００３によって特定された状態を示す状態データを監視サーバ１０に送信する送信部２０００と、を備える。
このようにすることで、監視サーバ１０が、各通行券発行装置２０の状態を示す状態データを逐次集約して記録、更新していくので、監視端末３０は、監視サーバ１０にアクセスするだけで、所望する通行券発行装置２０の状態を取得することができる。したがって、複数の通行券発行装置２０が個々に、監視端末３０からのリクエスト（状態取得要求）に応答して返送する機能を有さなくともよくなり、通行券発行装置２０の機能の簡素化を図ることができる。
以上より、第１の実施形態に係る監視システム１によれば、より低コストかつ高い信頼性で、入口料金所Ｒ１の通行券発行装置２０を監視可能となる。
【００９３】
また、第１の実施形態に係る監視サーバ１０によれば、送信部１０００は、監視端末３０から所定の操作要求を受け付けた場合に、当該操作要求で指定された通行券発行装置２０に向けて、当該操作要求で指定された処理指示（例えば、「特別発行」等）を送信する。
このようにすることで、通行券発行装置２０は、監視サーバ１０からの処理指示に従って指定された処理を実行するだけでよくなり、種々の態様からなる監視端末３０からの操作要求に対し、個別に応答する機能を具備しなくともよくなる。したがって、通行券発行装置２０の機能を一層簡素化することができる。
【００９４】
また、第１の実施形態に係る監視サーバ１０は、更に、監視端末３０からの操作要求について調停処理を行う調停処理部１００４を更に備える。
このようにすることで、各通行券発行装置２０は、個別に、複雑な調停処理を実装しなくともよくなる。したがって、通行券発行装置２０の機能を一層簡素化することができる。
【００９５】
＜第２の実施形態＞
以下、第２の実施形態に係る監視システムについて、図９〜図１１を参照しながら詳しく説明する。
【００９６】
（監視システムの全体構成）
図９は、第２の実施形態に係る監視システムの全体構成を示す図である。
図９に示す監視システム１は、第１の実施形態で説明した構成に加え、更に、出口料金所Ｒ２に設置された料金自動収受機４０を含んで構成される。監視サーバ１０、通行券発行装置２０、監視端末３０、及び、料金自動収受機４０は、広域通信網Ｎを介して、互いに双方向に通信可能とされている。
【００９７】
料金自動収受機４０は、料道路の料金所に設置される料金機械の一態様であって、出口料金所Ｒ２の車線Ｌに進入した車両Ａの搭乗者から料金を収受する。具体的には、料金自動収受機４０は、まず、搭乗者から通行券の挿入を受け付ける。料金自動収受機４０は、当該通行券に記録された入口料金所Ｒ１の識別情報及び車両Ａの車種区分を読み取り、車両Ａから収受すべき料金を決定する。
【００９８】
（料金自動収受機の機能構成）
図１０は、第２の実施形態に係る料金自動収受機の機能構成を示す図である。
図１０に示すように、料金自動収受機４０は、ＣＰＵ４００と、メモリ４０１と、通信インタフェース４０２と、複数の処理ユニット４０３と、を備えている。
【００９９】
ＣＰＵ４００は、料金自動収受機４０の動作全体を司るプロセッサであって、所定のプログラムに従って動作することで後述する種々の機能を発揮する。
【０１００】
メモリ４０１は、いわゆる主記憶装置であって、ＣＰＵ４００がプログラムに従って動作するための記憶領域となる。
【０１０１】
通信インタフェース４０２は、広域通信網Ｎへの有線接続又は無線接続を介して、監視サーバ１０、通行券発行装置２０、及び、監視端末３０との双方向通信を確立する通信モジュールである。
【０１０２】
複数の処理ユニット４０３は、料金自動収受機としての機能を実現するための処理ユニットであって、例えば、挿入された通行券から各種情報を読み取る通行券読取ユニット、現金の投入受付やつり銭の排出を行う現金処理ユニット、クレジットカード決済等を行うカード処理ユニット、監視員等を呼び出すための呼び出しボタン等である。
【０１０３】
次に、ＣＰＵ４００の具体的な機能について説明する。
ＣＰＵ４００は、所定のプログラムに従って動作することで、送信部４０００、受信部４００１、処理部４００２、及び、不正通行券判定部４００３としての機能を発揮する。
【０１０４】
送信部４０００及び受信部４００１は、監視サーバ１０及び監視端末３０との間で種々の情報の送受信処理を行う。監視サーバ１０及び監視端末３０との間で送受信される情報の具体的な内容については後述する。
【０１０５】
処理部４００２は、料金自動収受機としての通常の処理を行う。例えば、処理部４００２は、車両Ａが車線Ｌに到来した場合に、通行券の挿入を受け付けるとともに、挿入された通行券から読み取った各種情報に基づいて収受すべき料金を確定する。また、処理部４００２は、車両Ａの搭乗者から受け付けた現金、クレジットカード等を受け付けて、料金の収受処理を行う。
【０１０６】
不正通行券判定部４００３は、通行券が挿入された場合に、監視サーバ１０にアクセスして、挿入された通行券が不正通行券として監視サーバ１０に記録されているか否かを判定する。「不正通行券」とは、有料道路の不正通行に利用される通行券であって、利用者（不正者）が入口料金所Ｒ１の通行券発行装置２０から通行券を抜き取った後、当該料金所Ｒ１を後進退出することで入手した通行券である。利用者（不正者）は、このようにして入手した通行券を第三者に手渡しする。当該第三者は、出口料金所にて、本来支払うべき料金よりも安い料金の支払いで退出することができる。
【０１０７】
（通行券発行装置の機能構成）
第２の実施形態に係る通行券発行装置２０は、第１の実施形態と同様の機能構成（図３）であるため、図示を省略する。ただし、第２の実施形態に係る通行券発行装置２０は、以下の点で、第１の実施形態と異なる。
【０１０８】
第２の実施形態に係る状態特定部２００３は、不正通行券が発生した場合に、通行券発行装置２０の状態として、不正通行券を同定するための情報を特定する。
具体的には、状態特定部２００３は、車両Ａの搭乗者によって通行券発行装置２０の発券口から通行券が抜き取られた後、踏板２１２及び車両検知器２１１を通じて、車両Ａの後進が検知された場合に、不正通行券が発生したと判定する。不正通行券が発生したと判定した場合、状態特定部２００３は、当該不正通行券を同定するための情報として、料金所番号、車線番号、不正通行券の発行時刻、及び、不正通行券に割り振られた通し番号を特定する。
以上のようにして特定された、不正通行券を同定するための情報は、直ちに、通行券発行装置２０の送信部２０００によって監視サーバ１０に送信され、当該監視サーバ１０のストレージ１０３（図２）に登録される。
【０１０９】
（監視システムの処理フロー）
図１１は、第２の実施形態に係る監視システムの処理フローを示す図である。
以下、図１１を参照しながら、料金自動収受機４０において不正通行券の使用を監視する機能について説明する。
【０１１０】
料金自動収受機４０の不正通行券判定部４００３は、通行券の挿入を待ち受ける（ステップＳ４０）。
【０１１１】
料金自動収受機４０に通行券が挿入された場合（ステップＳ４０；ＹＥＳ）、挿入された通行券を同定する（ステップＳ４１）。具体的には、不正通行券判定部４００３は、挿入された通行券に記録された料金所番号、車線番号、発行時刻、及び、通し番号を読み取る。
【０１１２】
次に、不正通行券判定部４００３は、監視サーバ１０にアクセスして不正通行券の問い合わせ（照会要求）を行う（ステップＳ４２）。具体的には、不正通行券判定部４００３は、ステップＳ４１で読み取った料金所番号、車線番号、発行時刻、及び、通し番号を含む照会要求を監視サーバ１０に送信して、不正通行券として登録されているか否かを照会する。
【０１１３】
監視サーバ１０の状態取得部１００３は、ステップＳ４２の照会要求に含まれる料金所番号、車線番号、発行時刻、及び、通し番号と合致する不正通行券が登録されているか否かを判定し、その判定結果を返送する。
不正通行券判定部４００３は、監視サーバ１０から返送された判定結果に基づいて、ステップＳ４０で挿入された通行券が不正通行券か否かを判定する（ステップＳ４３）。
ステップＳ４０で挿入された通行券が不正通行券ではなかった場合（ステップＳ４３；ＮＯ）、料金自動収受機４０の処理部４００２は、読み取った通行券の情報に基づいて通常の料金収受処理を行う（ステップＳ４４）。
他方、ステップＳ４０で挿入された通行券が不正通行券であった場合（ステップＳ４３；ＹＥＳ）、不正通行券判定部４００３は、不正通行券が挿入されたことを監視員に報知する（ステップＳ４５）。
【０１１４】
（作用、効果）
以上の通り、第２の実施形態に係る通行券発行装置２０によれば、状態特定部２００３は、不正通行券が発生した場合に、通行券発行装置２０の状態として、当該不正通行券を同定するための情報を特定する。
また、第２の実施形態に係る料金自動収受機４０は、通行券が挿入された場合に、監視サーバ１０にアクセスして、挿入された通行券が不正通行券として監視サーバに登録されているか否かを判定する不正通行券判定部４００３を備える。
以上のように、ある通行券発行装置２０で不正通行券が発生した場合に、当該不正通行券を同定するための情報を通行券発行装置２０の状態の一つとして監視サーバ１０に登録しておくことで、出口料金所Ｒ２（料金自動収受機４０）において監視サーバ１０を介した簡易な構成で他の料金収受機と連動し、不正通行券を常時監視して、その利用を抑制することができる。
【０１１５】
また、第２の実施形態に係る通行券発行装置２０によれば、状態特定部２００３は、通行券が抜き取られた後、車両の後進が検知された場合に、不正通行券が発生したと判定する。
このようにすることで、通行券発行装置２０は、より簡便かつ正確に、不正通行券の発生を検知することができる。
【０１１６】
（変形例）
以上、第１、第２の実施形態に係る監視システム１について詳細に説明したが、監視システム１の具体的な態様は、上述のものに限定されることはなく、要旨を逸脱しない範囲内において種々の設計変更等を加えることは可能である。
【０１１７】
例えば、第１の実施形態に係る監視システム１において、監視サーバ１０は、入口料金所Ｒ１に設置された通行券発行装置２０の状態を示す状態データを収集するものとして説明したが、他の実施形態においてはこの態様に限定されない。
即ち、他の実施形態に係る監視サーバ１０は、通行券発行装置２０の状態データのみならず、出口料金所Ｒ２に設置された料金自動収受機４０の状態を示す状態データを収集してもよい。更に、他の実施形態に係る監視サーバ１０は、通行券発行装置２０、料金自動収受機４０以外の機器の状態を示す状態データを収集してもよい。
【０１１８】
また、第２の実施形態に係る監視システム１において、監視サーバ１０は、不正通行券が発生した場合に、当該不正通行券を同定するための情報として、料金所番号、車線番号、発行時刻、及び、通し番号を登録するものとして説明したが、他の実施形態においてはこの態様に限定されない。
即ち、監視サーバ１０は、不正通行券を一意に同定可能な情報であれば如何なる情報の組み合わせであってよく、料金所番号、車線番号、発行時刻、及び、通し番号の組み合わせには限定されない。
【０１１９】
また、第２の実施形態に係る監視システム１において、通行券発行装置２０の状態特定部２００３は、通行券が抜き取られた後、車両の後進が検知された場合に、不正通行券が発生したと判定するものとして説明したが、他の実施形態においてはこの態様に限定されない。
即ち、他の実施形態に係る通行券発行装置２０は、各種路側センサ（車両検知器２１１、踏板２１２、ナンバープレート読取機２１３等）を通じて取得された情報が、第２の実施形態とは異なる他の条件を満たした場合に、不正通行券が発生したと判定する態様であってもよい。
【０１２０】
なお、上述の第１、第２の実施形態においては、上述した監視サーバ１０、通行券発行装置２０、監視端末３０、及び、料金自動収受機４０の各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【０１２１】
上記プログラムは、上述した機能の一部を実現するためのものであってもよい。更に、上述した機能をコンピュータシステムにすでに記録されているプログラムとの組み合わせで実現できるもの、いわゆる差分ファイル（差分プログラム）であってもよい。
【０１２２】
また、他の実施形態においては、第１、第２の実施形態で説明した監視サーバ１０、通行券発行装置２０、監視端末３０、及び、料金自動収受機４０の各々が有する各機能部の一部を、ネットワークで接続された他のコンピュータが具備する態様であってもよい。
【０１２３】
以上のとおり、本発明に係るいくつかの実施形態を説明したが、これら全ての実施形態は、例として提示したものであり、発明の範囲を限定することを意図していない。これらの実施形態は、その他の様々な形態で実施されることが可能であり、発明の要旨を逸脱しない範囲で種々の省略、置き換え、変更を行うことができる。これらの実施形態及びその変形は、発明の範囲や要旨に含まれると同様に、特許請求の範囲に記載された発明とその均等の範囲に含まれる。
【符号の説明】
【０１２４】
１  監視システム
１０  監視サーバ
１００  ＣＰＵ
１０００  送信部
１００１  受信部
１００２  状態記録部
１００３  状態取得部
１００４  調停処理部
１０１  メモリ
１０２  通信インタフェース
１０３  ストレージ
２０  通行券発行装置（料金機械）
２００  ＣＰＵ
２０００  送信部
２００１  受信部
２００２  処理部
２００３  状態特定部
２０１  メモリ
２０２  通信インタフェース
２０３  処理ユニット
２１  車種判別装置
２１０  演算装置
２１１  車両検知器
２１２  踏板
２１３  ナンバープレート読取機
３０  監視端末
３００  ＣＰＵ
３０００  送信部
３００１  受信部
３００２  処理部
３０１  メモリ
３０２  通信インタフェース
３０３  出力デバイス
３０４  入力デバイス
４０  料金自動収受機（料金機械）
４００  ＣＰＵ
４０００  送信部
４００１  受信部
４００２  処理部
４００３  不正通行券判定部
４０１  メモリ
４０２  通信インタフェース
４０３  処理ユニット
Ｒ１  入口料金所
Ｒ２  出口料金所
Ｊ  料金所事務所
Ｌ  車線
Ａ  車両
Ｍ  監視員
【図１】
2020135638.tif 000003
【図２】
2020135638.tif 000004
【図３】
2020135638.tif 000005
【図４】
2020135638.tif 000006
【図５】
2020135638.tif 000007
【図６】
2020135638.tif 000008
【図７】
2020135638.tif 000009
【図８】
2020135638.tif 000010
【図９】
2020135638.tif 000011
【図１０】
2020135638.tif 000012
【図１１】
2020135638.tif 000013